(57)【要約】【課題】折板屋根材の施工が行いやすく、折板屋根材を強固に取り付けることができ、気温変化による歪みや発生を少なくすることができる折板屋根材を提供する。【解決手段】折板屋根材Ａは、底部１とその両側端部から斜め上方に突出する一対の側部２とからなる。底部１は、側端部よりも低位置に凹んだ低段部３２が両側部に形成され、低段部３２から上方に段状に突出した突段部３１が低段部３２、３２の間に形成されている。側部２は、その上下方向の中間よりも下側に、タイトフレームＢの側面に突設される係止部４に係止される被係止部３が形成され、被係止部３よりも上側に、表面側に傾斜して屈曲する補強リブ部５が形成されている。【選択図】図１
2012017619.tif 000002
【特許請求の範囲】
【請求項１】
底部とその両側端部から斜め上方に突出する一対の側部とからなり、底部は、側端部よりも低位置に凹んだ低段部が両側部に形成され、低段部から上方に段状に突出した突段部が低段部の間に形成され、側部は、その上下方向の中間よりも下側に、タイトフレームの側面に突設される係止部に係止される被係止部が形成され、被係止部よりも上側に、表面側に傾斜して屈曲する補強リブ部が形成されて成ることを特徴とする折板屋根材。
【請求項２】
側部の端部に、上方に向かって突出するハゼ部が形成されて成ることを特徴とする請求項１に記載の折板屋根材。
【請求項３】
折板屋根材とタイトフレームとにより構成される折板屋根材の取付構造であって、
折板屋根材は、底部とその両側端部から斜め上方に突出する一対の側部とからなり、底部は、側端部よりも低位置に凹んだ低段部が両側部に形成され、低段部から上方に段状に突出した突段部が低段部の間に形成され、側部は、その上下方向の中間よりも下側に被係止部が形成され、被係止部よりも上側に、表面側に傾斜して屈曲する補強リブ部が形成されており、
タイトフレームは、その側面に係止部が突設されており、
被係止部が係止部に係止されて折板屋根材がタイトフレームに取り付けられていることを特徴とする折板屋根材の取付構造。
【請求項４】
タイトフレームは、その上部に上方に突出する吊子が設けられており、ハゼ部と吊子とがハゼ締めにより結合されて折板屋根材がタイトフレームに取り付けられていることを特徴とする請求項３に記載の折板屋根材の取付構造。
【請求項５】
屋根面に複数のタイトフレームと複数の折板屋根材とを取り付けた折板屋根材を用いた屋根構造であって、
折板屋根材は、底部とその両側端部から斜め上方に突出する一対の側部とからなり、底部は、側端部よりも低位置に凹んだ低段部が両側部に形成され、低段部から上方に段状に突出した突段部が低段部の間に形成され、側部は、その上下方向の中間よりも下側に被係止部が形成され、被係止部よりも上側に、表面側に傾斜して屈曲する補強リブ部が形成され、側部の端部に、上方に向かって突出するハゼ部が形成されており、
タイトフレームは、その上部に上方に突出する吊子が設けられ、少なくとも屋根面の側端部に配置されるタイトフレームが、その側面に係止部が突設されており、
ハゼ部と吊子とがハゼ締めにより結合されて折板屋根材がタイトフレームに取り付けられるとともに、少なくとも屋根面の側端部において、折板屋根材の被係止部が、タイトフレームの側面に係止部材によって突設された係止部に係止されていることを特徴とする折板屋根材を用いた屋根構造。
【発明の詳細な説明】
【技術分野】
【０００１】
本発明は、金属板を折り曲げて加工等することにより形成される折板屋根材、折板屋根材の取付構造、及び、折板屋根材を用いた屋根構造に関するものである。
【背景技術】
【０００２】
従来より、複数の折板屋根材を連結することにより、山部と谷部とが交互に連設された屋根を形成することが行われている。通常、折板屋根材はタイトフレームに取り付けて施工されるが、折板屋根材をタイトフレームに係止させて取り付けるものが提案されている（例えば、特許文献１参照）。
【０００３】
図１７（ａ）に示すものでは、折板屋根材Ａ’は底部１’と一対の側部２’とで形成されており、各側部２’は底部１’の側端部から斜め上方に突出されて形成されている。また、側部２’にはその一部を表面側に段状に屈曲して被係止部３’が形成されている。一方、図１７（ｂ）に示すように、タイトフレームＢ’には複数の支持山部１２’が連なって形成されており、支持山部１２’の外側面には係止部４’が突出して設けられている。そして、折板屋根材Ａ’をタイトフレームＢ’に上方から近づけ、側部２’を弾性変形させながら隣り合う支持山部１２’の間に嵌め込むと共に被係止部３’を係止部４’の下側に係止することによって、図１７（ｂ）に示すように、折板屋根材Ａ’をタイトフレームＢ’に取り付けることができるものである。
【先行技術文献】
【特許文献】
【０００４】
【特許文献１】特開２００１−１３２１７６号公報
【発明の概要】
【発明が解決しようとする課題】
【０００５】
しかし、従来の折板屋根材Ａ’では、被係止部３’が係止部４’を上側から下側へと乗り越える際に、側部２’を大きく弾性変形させなければならず、折板屋根材Ａ’のタイトフレームＢ’への取り付けに大きな労力が必要となって施工が行いにくいという問題があった。また、従来の折板屋根材Ａ’では、気温変化で底部１’や側部２’が歪んだり変形したりするという問題があった。
【０００６】
本発明は上記の点に鑑みてなされたものであり、折板屋根材の施工が行いやすく、折板屋根材を強固に取り付けることができ、気温変化による歪みや変形を少なくすることができる折板屋根材、折板屋根材の取付構造、及び、折板屋根材を用いた屋根構造を提供することを目的とするものである。
【課題を解決するための手段】
【０００７】
本発明の折板屋根材は、底部１とその両側端部から斜め上方に突出する一対の側部２とからなり、底部１は、側端部よりも低位置に凹んだ低段部３２が両側部に形成され、低段部３２から上方に段状に突出した突段部３１が低段部３２、３２の間に形成され、側部２は、その上下方向の中間よりも下側に、タイトフレームＢの側面に突設される係止部４に係止される被係止部３が形成され、被係止部３よりも上側に、表面側に傾斜して屈曲する補強リブ部５が形成されて成る折板屋根材Ａである。
【０００８】
折板屋根材Ａにあっては、側部２の端部に、上方に向かって突出するハゼ部３３が形成されていてもよい。
【０００９】
本発明の折板屋根材の取付構造は、折板屋根材ＡとタイトフレームＢとにより構成される。折板屋根材Ａは、底部１とその両側端部から斜め上方に突出する一対の側部２とからなり、底部１は、側端部よりも低位置に凹んだ低段部３２が両側部に形成され、低段部３２から上方に段状に突出した突段部３１が低段部３２、３２の間に形成され、側部２は、その上下方向の中間よりも下側に被係止部４が形成され、被係止部４よりも上側に、表面側に傾斜して屈曲する補強リブ部５が形成されている。タイトフレームＢは、その側面に係止部３が突設されている。そして、被係止部３が係止部４に係止されて折板屋根材ＡがタイトフレームＢに取り付けられている折板屋根材Ａの取付構造である。
【００１０】
折板屋根材の取付構造にあっては、タイトフレームＢは、その上部に上方に突出する吊子６が設けられており、ハゼ部３３と吊子６とがハゼ締めにより結合されて折板屋根材ＡがタイトフレームＢに取り付けられていてもよい。
【００１１】
本発明の折板屋根材を用いた屋根構造は、屋根面４１に複数のタイトフレームＢによって複数の折板屋根材Ａを取り付けた折板屋根材Ａを用いた屋根構造である。折板屋根材Ａは、底部１とその両側端部から斜め上方に突出する一対の側部２とからなり、底部１は、側端部よりも低位置に凹んだ低段部３２が両側部に形成され、低段部３２から上方に段状に突出した突段部３１が低段部３２、３２の間に形成され、側部２は、その上下方向の中間よりも下側に被係止部４が形成され、被係止部４よりも上側に、表面側に傾斜して屈曲する補強リブ部５が形成され、側部２の端部に、上方に向かって突出するハゼ部３３が形成されている。タイトフレームＢは、その上部に上方に突出する吊子６が設けられ、少なくとも屋根面４１の側端部４１ａに配置されるタイトフレームＢが、その側面に係止部３が突設されている。ハゼ部３３と吊子６とがハゼ締めにより結合されて折板屋根材ＡがタイトフレームＢに取り付けられるとともに、少なくとも屋根面４１の側端部４１ａにおいて、折板屋根材Ａの被係止部４が、タイトフレームＢの側面に係止部材１１によって突設された係止部３に係止されている。
【発明の効果】
【００１２】
本発明によれば、底部及び側部が弾性変形しやすくなることにより、被係止部を係止部に係止しやすくすることができるので、大きな労力を要さずに折板屋根材をタイトフレームに取り付けることができ、折板屋根材の施工を簡単に行うことができるものである。また、係止部が被係止部を係止して折板屋根材を固定することにより、折板屋根材を強固に取り付けることができるものである。また、突段部と補強リブによって、折板屋根材の強度を高めることができるので、気温変化による歪みや変形を少なくすることができ、屋根耐力を向上することができるものである。
【図面の簡単な説明】
【００１３】
【図１】本発明の折板屋根材の取付構造の一例を示す断面図である。
【図２】本発明の折板屋根材の実施の形態の一例を示す斜視図である。
【図３】同上の実施の形態の正面図である。
【図４】同上の実施の形態を示し、（ａ）は平面図、（ｂ）は底面図である。
【図５】同上の実施の形態を示し、（ａ）は右側面図、（ｂ）は左側面図、（ｃ）は図４（ａ）のｉ−ｉ断面図である。
【図６】本発明の折板屋根材の実施の形態の他の一例を示す一部拡大図である。
【図７】タイトフレームの一例を示し、（ａ）は正面図、（ｂ）は平面図、（ｃ）は底面図、（ｄ）は右側面図、（ｅ）は左側面図である。
【図８】吊子の一例を示し、（ａ）正面図、（ｂ）は平面図、（ｃ）は底面図、（ｄ）は右側面図、（ｅ）は左側面図である。
【図９】係止部材の一例を示し、（ａ）は斜視図、（ｂ）は断面図である。
【図１０】同上の係止部材の一例を示し、（ａ）は左側面図、（ｂ）は正面図、（ｃ）は右側面図である。
【図１１】係止部材の他の一例を示す斜視図である。
【図１２】係止部材のさらに他の一例を示し、（ａ）は正面図、（ｂ）は平面図、（ｃ）は底面図、（ｄ）は右側面図、（ｅ）は左側面図である。
【図１３】本発明の折板屋根材の取り付け工程の一例を示す断面図である。
【図１４】本発明の折板屋根材をタイトフレームに取り付けた状態の一例を示す断面図である。
【図１５】本発明の折板屋根材を取り付けた屋根の一例を示す概略図である。
【図１６】本発明の折板屋根材を用いて、既存の屋根の葺き替えを行う工程の一例を示し、（ａ）〜（ｄ）は断面図である。
【図１７】従来例を示し、（ａ）は折板屋根材の一部の斜視図、（ｂ）は折板屋根材の取付構造の断面図である。
【発明を実施するための形態】
【００１４】
以下、本発明を実施するための形態について説明する。
【００１５】
図１に、折板屋根材Ａの取付構造の一例を示す。また、図２〜図５に、折板屋根材Ａの実施の形態の一例を示す。
【００１６】
図２〜５に示すように、折板屋根材Ａは、底部１と、底部１の両側端部から斜め上方に突出する一対の側部２とからなり、断面略Ｕ字状（先端の広がったＵ字状）に形成されている。図示の形態では、折板屋根材Ａを構成する各部は、金属板の片として形成されており、また、折板屋根材Ａの長手方向の全長に亘って形成されている。
【００１７】
折板屋根材Ａは、薄い金属板を折り曲げ加工等することにより長尺に形成されるものである。金属板としては亜鉛めっき鋼板、塗装鋼板、ガルバリウム鋼板（登録商標）などを用いることができる。また、金属板の厚みとしては０．５〜１．２ｍｍのものを用いることができるが、これに限定されるものではない。
【００１８】
底部１は、側端部よりも低位置に凹んだ低段部３２が両側部に形成され、低段部３２から上方に段状に突出した突段部３１が低段部３２、３２の間に形成されている。図示の形態では、底部１は、両側端部において形成され水平方向と略平行な側方平面片１ｅと、側方平面部１ｅから内側に向かって斜め下方に凹む凹み片１ｄと、凹み片１ｄから内側に延伸し水平方向と略平行な低段片１ｃと、低段片１ｃから内側に向かって斜め上方に上がる上がり片１ｂと、両側の上がり片１ｂ，１ｂ間において形成された水平方向と略平行な中央平面片１ａとによって形成されている。低段部３２は、凹み片１ｄと上がり片１ｂとの間の低段片１ｃによって、水平方向の両側に二つ形成されている。また、突段部３１は、二つの上がり片１ｂの間の中央平面片１ａによって、底部１の中間位置を跨るように形成されている。すなわち、突段部３１は、底部１の中央部、つまり低段部３２の中央部に設けられている。そして、底部１は、水平方向において対称形状（線対称）に形成されている。
【００１９】
このように、底部１の中央に上方に突出した突段部３１が長手方向の全長に亘って形成されることにより、この突段部３１は底部１を補強するリブとして機能するものであり、気温変化により底部１に歪みや変形が生じるのを防止することができるものである。また、低段部３２と突段部３１とが形成されることにより、底部１は断面略波形状（凹凸状）に上下して形成されることとなり、低段部３２の端部に配置された上がり片１ｂや凹み片１ｄなどを支点にして、底部１が、裏面側に突出して湾曲する方向に弾性的に変形しやすくなっている。したがって、弾性変形時に側部２，２間の距離を狭めることができ、被係止部３をタイトフレームＢの係止部４に係止させやすくすることができる。
【００２０】
また、低段部３２は、両側端に配置された凹み片１ｄと上がり片１ｂとにより側端部よりも低位置（裏面側）に形成されている。それにより、雨水が低段部３２に、すなわち、側方平面片１ｅから低段片１ｃに流れやすい構造に形成されている。このため、雨水のさかのぼり現象を防止して排水性を高めることができるものである。
【００２１】
突段部３１は、底部１の側端部よりも高く上方に突出してもよく、側端部の高さよりも低い位置で上方に突出してもよく、あるいは側端部と同位置になるように突出していてもよい。すなわち、中央平面片１ａは、垂直方向（上下方向）の位置が、側方平面片１ｅよりも上側に形成されてもよく、下側に形成されてもよく、あるいは側方平面片１ｅと略同位置に形成されてもよいものである。突出部３１の突出高さはリブ作用をより得るためには高いことが好ましいが、折板屋根材Ａを簡単に作製するためには、側端部と同一の高さであることも好ましい。また、雨水の流れをよくするために、突出部３１の突出高さを側端部よりも下側の位置にしてもよい。
【００２２】
低段部３２と突段部３１の水平方向における各幅寸法（折板屋根材Ａの長手方向と直交する方向の寸法）は、特に限定されるものではないが、突段部３１の幅寸法を底部１の幅寸法の５〜５０％にすることができ、一つの低段部３２の幅寸法を底部１の幅寸法の５〜３０％程度にすることができる。また、突段部３１と低段部３２（両側の合計）との幅寸法の比は、１０：１〜１：１０の範囲にすることができる。
【００２３】
なお、図示の形態では、一つの突段部３１が底部１の両側部に設けられた二つの低段部３２、３２の間に形成された折板屋根材Ａの様子を示しているが、底部１に三以上の低段部３２を設け、各低段部３２、３２間に突段部３１を形成して、底部１に複数の突段部３１が設けられるようにしてもよい。そしてこの場合においては、複数の低段部３２のうちの一つあるいはいくつかが底部１の中央に配置されてもよい。
【００２４】
側部２は、その上下方向の中間よりも下側に、タイトフレームＢの側面に突設される係止部４に係止される被係止部３が形成されている。したがって、タイトフレームＢの係止部４に被係止部３を係止させて折板屋根材を取り付けることができ、折板屋根材を確実に固定することができるものである。
【００２５】
また、側部２は、被係止部４よりも上側に、内側に傾斜して屈曲する補強リブ部５が形成されている。したがって、補強リブ部５が折板屋根材Ａの長手方向の全長に亘って形成されることにより、補強リブ部５が側部２を補強するリブとして機能して、気温変化により底部１に歪みや変形が生じるのを防止することができるものである。また、表面側（内側）に傾斜して屈曲する補強リブ部５が形成されることにより、この補強リブ部５を支点として側部２を表面側に湾曲させるように弾性変形しやすくすることができ、弾性変形時に被係止部３の下側を表面側に配置させて、被係止部３をタイトフレームＢの係止部４に係止させやすくすることができるものである。
【００２６】
側部２は、図示の形態においては、底部１の側方平面片１ｅの側端部から外側方に向かって斜め上方に突設される基片２ａが形成されており、この基片２ａの上側で被係止部３が側部２の表面側に向かって突設されている。被係止部３は、基片２ａの上端から表面側に、略垂直あるいは鋭角に折り曲げられた下被係止片２ｂと、表面側に断面略Ｖ字状あるいは断面略Ｕ字状に外側方に向かって斜め上方に折り返された上被係止片２ｃとにより形成されている。上被係止片２ｃは、被係止部３の上側で外側方に向かって斜め上方に突設されており、この上被係止片２ｃの上端からは、表面側（内側）に傾斜して折り曲げられて、上被係止片２ｃよりも水平に対して急角度で外側方に向かって斜め上方に突設された支持片２ｄが形成されている。ここで、下被係止片２ｂと上被係止片２ｃとの境界部分が、被係止部３の突出する先端となるものであり、この先端が側部２の上下方向の中間よりも下側に形成されるものである。
【００２７】
そして、図示のように、上被係止片２ｃと支持片２ｄとは、先端の広がった断面Ｖ字状（断面ヘ字状）に表面側に向かって鈍角の角度で屈曲しており、この上被係止片２ｃと支持片２ｄとの境界部分において、補強リブ部５が形成されている。この補強リブ部５は裏面側（外側方）に向かって凸曲しており、それにより、リブとして機能するとともに、弾性変形可能となるものである。上被係止片２ｃと支持片２ｄとのなす角度は鈍角（９０°以上１８０°未満）とすることが好ましいが、この角度を１５０°以上１８０°未満にして、上被係止片２ｃから支持片２ｄにかけてゆるやかに傾斜させて補強リブ部５を形成することもできる。
【００２８】
補強リブ部５は、側部２の上下方向の略中央部に形成されていることが好ましい。補強リブ部５が側部２の略中央部で形成されることによって、側部２を中央部分で折れ曲がるようにして弾性変形させることができ、変形幅を大きくとることができるとともに、弾性変形をしやすくすることができるものである。また、側部２の上下方向の略中央部に補強リブ部５を形成することによって、側部２を中央部分で補強することができ、折板屋根材Ａの強度を高めることができるものである。また、側部２の上下方向の略中央部に補強リブ部５の屈曲形状が長尺方向に形成されることによって、デザイン性を向上することができるものである。
【００２９】
支持部２ｄの上端からは、外側方に向かって斜め上方に突設した頂部２ｅが形成されている。図示の例では、頂部２ｅは、支持部２ｄの先端から外側方に向かって屈曲し延伸して形成されており、水平方向よりもやや傾斜した角度で突設されている。この頂部２ｅは、隣り合う他の折板屋根材Ａの頂部２ｅと合わせて、タイトフレームＢの支持山部１２を被うものである。頂部２ｅの形態は図示のものに限られず、頂部２ｅが、支持部２ｄの上端から、水平方向と略平行に外側方に向かって突出するように形成されていてもよい。
【００３０】
頂部２ｅの先端にはハゼ部３３が形成されている。それにより、折板屋根材Ａの上側においてハゼ締めによって折板屋根材ＡをタイトフレームＢに固定することができ、取り付け強度を高めることができるものである。
【００３１】
ハゼ部３３は、一方の側部２においては、頂部２ｅの先端から上方に向かって突設された断面略逆Ｕ字状の上ハゼ部３４として形成されており、他方の側部２においては、頂部２ｅの先端から上方に向かって突設された断面略逆Ｌ字状の下ハゼ部３５として形成されている。上ハゼ部３４は、下ハゼ部３５よりも一回り程度（下ハゼ部３５の周囲を取り囲むことができる程度）、大きく形成されている。下ハゼ部３５及び上ハゼ部３４は、角ハゼや丸ハゼなどの任意の形状にすることができる。
【００３２】
図示の形態では、上ハゼ部３４は、垂直方向に上方に突出する上ハゼ基片３４ａと、上ハゼ基片３４ａの上端から水平方向に外側方に突出する上ハゼ水平片３４ｂと、上ハゼ水平片３４ｂの先端から垂下する下ハゼ垂下片３４ｃと、下ハゼ垂下片３４ｃの先端から外側方に向かって斜め下方に伸びる下ハゼ先端片３４ｄとにより形成されている。また、下ハゼ部３５は、垂直方向に上方に突出する下ハゼ基片３５ａと、下ハゼ基片３５ａの上端から水平方向に内側方に突出する下ハゼ水平片３５ｂと、下ハゼ水平片３５ｂの先端から外側方に断面Ｕ字状に折り返された下ハゼ折返片３５ｃとにより形成されている。ハゼ部３３が上記のような構造となることで、強固なハゼ締めが可能となる。
【００３３】
なお、折板屋根材Ａの裏面の一部あるいは全面に、断熱性の向上のため、ウレタンフォームやポリエチレン発泡体のペフなどの樹脂発泡体や、グラスウールなどの無機繊維材等により形成された断熱材３０を設けてもよい。
【００３４】
図６に、裏面に断熱材３０が取り付けられた折板屋根材Ａの一例を示す。この形態では、折板屋根材Ａの形状に沿って、折板屋根材Ａを構成する金属板の厚みの１〜１０倍程度の厚みの断熱材３０が接着剤や粘着テープなどによって折板屋根材Ａの裏面に取り付けられている。この場合、裏張り断熱材３０を設けることにより、断熱性能を高めることができるものである。そして、上記の折板屋根材Ａにおいては、弾性変形可能であるので、折板屋根材ＡをタイトフレームＢに取り付ける際に、断熱材３０と係止部４との摩擦を低減することができ、断熱材３０がタイトフレームＢの係止部４に引っ掛かるなどして破損されることを防止することができ、断熱性を確実に向上することができるものである。
【００３５】
図７に、タイトフレームＢの一例を示す。タイトフレームＢは、折板屋根材Ａの施工の際に屋根下地４０に取り付けられるものであり、折板屋根材Ａを固定して取り付けるために用いられるものである。タイトフレームＢは、鋼製などの金属製で厚さ２〜５ｍｍ程度の帯材を折り曲げ加工等することによって形成される。
【００３６】
図１３で示すように、タイトフレームＢは、施工の際、その側面に、折板屋根材Ａの被係止部３を係止させる係止部４が側方に向かって突設される。係止部４は、タイトフレームＢの本体と同一の部材で一体として形成されてもよいが、図示の形態のように、別部材である係止部材１１によって形成されてもよい。
【００３７】
図７のタイトフレームＢでは、複数の支持山部１２と谷部１３とが交互に繰り返すように形成されている。支持山部１２は、フレーム頂部１２ａとフレーム頂部１２ａの両端部から外側方の斜め下方に向かって傾斜する脚部１２ｂとで構成されている。フレーム頂部１２ａは水平方向と略平行に形成されているが、フレーム頂部１２ａの長手方向の略半分は一段低く凹んだ凹部１４として形成されている。凹部１４の底面にはボルトなどの吊子固定具１６が設けられている。
【００３８】
脚部１２ｂには、その幅方向（短手方向）の略中央部に裏面に突出してフレームリブ１５が形成されている。このフレームリブ１５は、脚部１２ｂの上部から下部に亘って形成されている。このように、フレームリブ１５を設けることにより、タイトフレームＢの強度を高めることができるものである。
【００３９】
フレームリブ１５は、脚部１２ｂに表面からプレス加工等を施すことにより形成されるものである。脚部１２ｂの表面には、フレームリブ１５の表面を底面及び側面とする溝状の凹所１２ｃが設けられている。凹所１２ｃは、フレームリブ１５と同様に、脚部１２ｂの上部から下部に亘って形成されている。凹所１２ｃの底面には、係止部材１１を取り付けるための固定具２５が止着される止着孔１２ｄが設けられている。
【００４０】
タイトフレームＢの上部には上方に突出する吊子６が設けられる。吊子６は、タイトフレームＢと一体に形成されてもよいが、別部材で構成してもよい。
【００４１】
図８に、吊子６の一例を示す。この例では、吊子６は、吊子本体６ａと押さえ具６ｂとを備えて形成されている。吊子本体６ａ及び押さえ具６ｂは、鋼製などの金属製で厚さ１〜５ｍｍ程度の鋼板又は帯材を折り曲げ加工等することにより形成されるものである。なお、吊子６は図示の形態に限られるものではなく、同一の部材で一体として形成されるものであってもよい。
【００４２】
吊子本体６ａは、タイトフレームＢのフレーム頂部１２ａに固着される固着片１８と、固着片１８の一側端から固着片１８と略垂直に上方に突出して設けられた立ち上げ片１９と、立ち上げ片１９の上端から固着片１８と反対側に突出して設けられた断面略倒Ｌ字状の係着部２０と、固着片１８の他側端から上側に突出した挟持片２１とを備えて形成されている。係着部２０は、固着片１８と略平行な片として形成された係着基片２０ａと、係着頂片２０ａの先端から立ち上げ片１９側に向かって斜め下方に延伸した係着先片２０ｂとを備えている。
【００４３】
押さえ具６ｂは、固着片１８よりもやや小さい基板部２２を備えており、基板部２２の両端には、逆Ｌ字状で先端側が外側に向かって突出する支持部２３が上側に突出して形成されている。押さえ具６ｂは、固着片１８の上側で立ち上げ片１９と挟持片２１との間に基板部２２が嵌め込まれて装着されており、この装着により吊子本体６ａと一体化されて吊子６が形成されている。また、吊子６には、固着片１８と基板部２２とを貫通する装着孔２４が設けられている。
【００４４】
吊子６はタイトフレームＢのフレーム頂部１２ａに設けられた凹部１４の上側に取り付けて固定することができる。例えば、吊子６の装着孔２４に吊子固定具１６を下側から差し込んだ後、吊子固定具１６にナット等の締結具２６を螺着することによって、基板部２２と固定片１８とを凹部１４の底面に固定するようにする。吊子６は、立ち上げ片１９がフレーム頂部１２ａの長手方向の略中央に位置するようにして取り付けられる。吊子６をタイトフレームＢに取り付けると、係着基片２０ａの長手方向がタイトフレームＢの長手方向と直交する状態となる。このとき、係着基片２０ａの長手方向の長さがタイトフレームＢの幅方向の長さよりも長くなってもよい。
【００４５】
図９〜１０に、係止部材１１の一例を示す。係止部材１１は、鋼製などの金属製で厚さ２〜５ｍｍ程度の帯材を折り曲げ加工等することによって形成されるものである。例えば、係止部材１１を亜鉛めっき鉄板などの耐食性の高い金属材料で形成してもよい。係止部材１１は、上係止部４ａと下係止部４ｂとから断面略Ｖ字状（横倒し状態の断面Ｖ字状）に形成される係止部４と、上係止部４ａの基部から上方に向かって突設される上固定片１１ａと、下係止片４ｂの基部から下方に向かって突設される下固定片１１ｂとを備えて形成されている。
【００４６】
上係止部４ａの表面（上面）は、上固定片１１ａの下端から側方に向かって下り傾斜して形成されており、上係止部４ａと上固定片１１ａとがなす角度は、例えば、１２５〜１３５°程度に形成されている。また、下係止部４ｂの表面（下面）は、下固定片１１ｂの上端から屈曲し側方に向かって延伸しており、下係止部４ｂと下固定片１１ｂとがなす角度は、例えば、７０〜８０°程度に形成されている。係止部４の先部である上係止部４ａと下係止部４ｂとの境界Ｍの部分は表面が滑らかな円弧状の凸曲面であるアール面Ｒに形成されている。アール面Ｒの曲率半径は１〜４ｍｍ程度とすることができるが、これに限定されるものではない。
【００４７】
係止部材１１には一対のリブ部４ｃが形成されている。リブ部４ｃは、上固定片１１ａと上係止部４ａとを跨るように、上固定片１１ａの上部から上係止部４ａの基部を通って上係止部４ａの先端部の境界Ｍ部分近傍にまで細長く形成され、一対のリブ部４ｃは略平行に形成されている。リブ部４ｃは上固定片１１ａ及び上係止部４ａにプレス加工等を施すことにより、表面に逆Ｖ字状あるいは逆Ｕ字状で例えば２ｍｍ程度突出して形成されており、上固定片１１ａ及び上係止部４ａの裏面にはリブ部４ｃに対応する位置に凹みが形成されている。このように、上係止部４ａの表面から突出し、上係止部４ａの基部から先端部に向かって延伸するリブ部４ｃが上係止部４ａに設けられることにより、上係止部４ａを補強して係止部４の強度を高めることができる。
【００４８】
上固定片１１ａ及び下固定片１１ｂには、表裏に貫通する固定孔１７が形成されている。固定孔１７は短手方向の中央部に設けられており、上固定片１１ａに設けた固定孔１７は一対のリブ部４ｃの間に形成されている。固定孔１７の周縁部には、円状で例えば１ｍｍ程度裏面側に突出する補強部１１ｃを形成してもよい。この補強部１１ｃは、上固定片１１ａ及び下固定片１１ｂに表面からプレス加工等を施すことにより上固定片１１ａ及び下固定片１１ｂの裏面に突出させて形成されるものである。そして、この補強部１１ｃの底面に貫通孔を設けることにより固定孔１７を形成することができる。このように、上固定片１１ａ及び下固定片１１ｂの裏面において固定孔１７の周縁部には補強部１１ｃが形成された場合には、固定孔１７の周囲を補強することができ、固定孔１７の変形や破損を防止して係止部材１１をタイトフレームＢにさらに強固に固定することができる。
【００４９】
係止部材１１はタイトフレームＢの脚部１２ｂの外側面に取り付けて固定することができる。例えば、固定孔１７からビス等の固定具２５を差し込んで脚部１２ｂに螺着することによって、上固定片１１ａと下固定片１１ｂとを脚部１２ｂに固着することができる。また、固定具２５による固定に代えて、あるいは固定部２５による固定に加えて、上固定片１１ａと下固定片１１ｂとを脚部１２ｂに溶接接合してもよい。このように係止部材１１が取り付けられることにより、図１３に示すように、タイトフレームＢの脚部１２ｂの外側面に係止部４が突設される。このとき、上係止部４ａが水平方向よりも斜め下方に突出するようにして係止部４を設けることができる。また、下係止部４ｂは、水平方向よりもやや斜め上方に突出させたり、水平方向と略平行に突出させたり、あるいは水平方向よりも斜め下方に突出させたりして係止部４を形成することができる。また、上係止部４ａの先端がその基部よりも下方に位置し、下係止部４ｂの先端もその基部よりも下方に位置した状態で係止部材１１がタイトフレームＢに取り付けられるようにしてもよい。そして、上係止部４ａと下係止部４ｂとの境界部分である係止部４の先端は、脚部１２ｂの上下方向の中間よりも下側に形成されている。
【００５０】
ここで、上固定片１１ａと下固定片１１ｂの裏面に突設した補強部１１ｃは、凹所１２ｃに収容されて凹所１２ｃの壁面で係止されるものである。このように、固定具２５による固定に加えて、凹所１２ｃにより補強部１１ｃを係止することができ、脚部１２ｂの幅方向における係止部材１１の移動を規制することができる。したがって、係止部材１１を容易に取り付けることができるとともに、係止部材１１を強固に固定することができる。そして、凹所１２ｃに補強部１１ｃを挿入し、凹所１２ｃに沿ってスライドさせて固定孔１７と止着孔１２ｄとを合わせるだけで位置決めをすることができ、係止部材１１の脚部１２ｂへの位置決めを容易に行うことができ、簡単に係止部材１１を取り付けることができるものである。
【００５１】
図１１に、係止部材１１の他の形態を示す。この係止部材１１は、上記の係止部材１１と対比して、リブ部４ｃと補強部１１ｃとが形成されておらず、その他の構成は上記の係止部材１１と同様である。このようにリブ部４ｃは必要に応じて形成されるものであり、係止部材１１の強度が充分な場合は不要である。また、補強部１１ｃは必要に応じて形成されるものであり、固定孔１７の強度が充分な場合は不要である。タイトフレームＢとして凹所１２ｃが形成されていないものを用いた場合は、裏面に突出した補強部１１ｃが脚部１２の表面に当接して係止部材１１を安定して固定することができないおそれがあるので、補強部１１ｃを設けないようにすることがよい。特に、後述するような既存の屋根を改修する場合などにおいては凹所１２ｃが設けられていない可能性があるので、屋根を改修する場合は、補強部１１ｃを設けていない係止部材１１を用いることができる。
【００５２】
図１２に、係止部材１１のさらに他の形態を示す。この係止部材１１は、係止部４の先部である上係止部４ａと下係止部４ｂとの境界Ｍが屈曲して形成されている。それ以外の構成は、図１１の形態と同じである。この係止部材１１は、Ｒ面加工等の必要がないので、上記のものよりも簡単に形成することができる。
【００５３】
次に、図１、図１３〜１５により、折板屋根材Ａの施工について説明する。なお、図１５では、折板屋根材Ａの一部（図のＺの領域）を破断して描画している。
【００５４】
折板屋根材Ａを取り付けるにあたっては、まず、タイトフレームＢを屋根下地４０に取り付ける。このとき、あらかじめタイトフレームＢに吊子６や係止部材１１を取り付けておいてもよいし、タイトフレームＢを屋根下地４０に取り付けた後、折板屋根材Ａを取り付ける前に、吊子６や係止部材１１をタイトフレームＢに取り付けるようにしてもよい。屋根下地４０としては鉄骨などを用いることができるがこれに限られるものではない。
【００５５】
そして、折板屋根材Ａの施工は、例えば、次のようにして行う。なお、この施工例では、タイトフレームＢとして、係止部材１１と吊子６とをあらかじめ取り付けていないものを用いる場合を説明する。
【００５６】
まず、屋根下地４０が敷設されて形成された屋根面４１（屋根下地４０の上面）の一方の側端部４１ａの前方端部（又は後方端部）に、タイトフレームＢを、長手方向（複数の支持山部１２）が屋根の傾斜方向と直交するように取り付ける。そして、谷部１３を梁や母屋などの屋根下地４０にネジやビス等による固着や溶接接合などによって固定する。そして、複数のタイトフレームＢを屋根面４１の他方の側端部４１ａまで連なるように取り付ける。これにより、水平方向に複数の支持山部１２と谷部１３とが交互に繰り返されて一列目のタイトフレームＢが取り付けられる。
【００５７】
そして、一列目のタイトフレームＢから前後方向に所定の間隔を置いて屋根面４１の一方の側端部４１ａに、タイトフレームＢを上記と同様にして固定する。さらに、複数のタイトフレームＢを、上記と同様に、屋根面４１の他方の側端部４１ａまで連なるように取り付けることにより、二列目のタイトフレームＢが取り付けられる。
【００５８】
このようにして順次各列のタイトフレームＢが取り付けられることにより、屋根下地４０の一面にタイトフレームＢが取り付けられる。このとき、各列のタイトフレームＢは傾斜方向に、等間隔など所定の間隔で配置される。
【００５９】
次に、屋根面４１の一方の側端部４１ａに配置しているタイトフレームＢの支持山部１２に吊子６を取り付ける。また、複数の支持山部１２のそれぞれの側面に係止部材１１を取り付ける。
【００６０】
そして、屋根面４１の一方の側端部４１ａにおいて、折板屋根材Ａの底部１を、吊子６が取り付けられたタイトフレームＢの支持山部１２と、その隣の支持山部１２との間の谷部１３の上方に配置して、折板屋根材ＡをタイトフレームＢに上側から被せて取り付ける。このとき、折板屋根材Ａの長手方向が屋根の傾斜方向と平行になるように配置し、屋根の傾斜方向に並ぶ複数のタイトフレームＢに折板屋根材Ａが架け渡されるようにする。この場合、タイトフレームＢの長手方向と、折板屋根材Ａの長手方向とが直交することになる。
【００６１】
そして、図１３、１４に示すように、折板屋根材Ａを下方に押し込み、底部１を含む被係止部３、３間の折板屋根材Ａの部分を、係止部４、４の下側に嵌め込み、被係止部３を係止部４に係止させる。具体的には、次のようにして行う。
【００６２】
折板屋根材Ａの底部１を屋根の傾斜方向と直交する方向で隣り合う支持山部１２、１２間に配置した後、底部１の突段部３１を踏み込むなどして底部１を下方に向けて押圧する（図１３の矢印Ｘの方向）。この押圧により、底部１の突段部３１と低段部３２との境界部分や、側部２の補強リブ部５などの折曲部分が支点となって、折板屋根材Ａが内側に湾曲して弾性変形する。そして、さらに底部１を下方に向けて押圧すると、被係止部３の下側が係止部４の先端を上から下へと乗り越える。この結果、底部１や側部２が弾性力によりその変形が元に戻されて形状が復元し、係止部４の下係止部４ｂの下側に被係止部３が弾性的に係止されることになる。
【００６３】
また、あらかじめ弾性変形させておき、その状態を維持したまま下方に移動させて底部１を嵌め込むようにしてもよい。すなわち、折板屋根材Ａを屋根の傾斜方向と直交する方向で隣り合う支持山部１２、１２間の上方に配置した後、折板屋根材Ａの一対の側部２、２を、側部２、２が近づく方向（内側方向）に押圧して折板屋根材Ａを内側に湾曲させて弾性変形させる（図１３の矢印Ｙの方向）。このとき、底部１の突段部３１と低段部３２との境界部分や、側部２の補強リブ部５などの折曲部分が弾性変形の支点となり、折板屋根材Ａは側部２、２の上部の間隔がより狭まった略Ｕ字状に弾性変形する。この弾性変形させた状態を保ったまま折板屋根材Ａを下方に移動させ、下係止片２ｂを下係止部４ｂの下側に配置する。そして、側部２への押圧を解除して弾性力により変形状態を元に戻し形状を復元させて、被係止部３が係止部４に係止するようにする。このように、側部２を内側に押圧して弾性変形させて底部１を嵌め込む場合、折板屋根材Ａの裏面と係止部４の先端との摩擦を低減することができるので、折板屋根材Ａの裏面に断熱材３０を設けた場合において、断熱材３０の破損をより低減することができるものである。
【００６４】
そして、このようにして被係止部３が係止部４に係止されたとき、一方の側部２に設けられた上ハゼ部３４は支持山部１２に設けられた吊子６の係着部２０の上側に被せられる。また、他方の側部２設けられた下ハゼ部３５は、上ハゼ部３４が被せられた支持山部１２に隣接する他の支持山部１２の上に配置されている。
【００６５】
次に、図１４に示すように、下ハゼ部３５が配置されている支持山部１２に吊子６を取り付ける。吊子６は、折板屋根材Ａの側部２に設けられた下ハゼ部３５に、吊子６の係止部２０を被せるようにして取り付けるようにする。すなわち、下ハゼ部３５は吊子６の係止部２０の下側に嵌め込まれて係止されることになる。
【００６６】
そして、この新しく吊子６が取り付けられた支持山部１２と、さらにその隣りに配置された支持山部１２との間に、他の折板屋根材Ａの底部１を配置して、上記と同様にして、折板屋根材ＡをタイトフレームＢに取り付ける。これにより、吊子６の係着部２０は、一方の折板屋根材Ａの下ハゼ部３５と、隣り合う他方の折板屋根材Ａの上ハゼ部３４とに上下で挟まれる。
【００６７】
この操作を繰り返すことにより、複数の折板屋根材Ａを屋根の傾斜方向（水流れ方向）と直交する方向に並べて配置し、また、必要な場合は、屋根の傾斜方向にも複数の折板屋根材Ａを配置する。屋根の傾斜方向に折板屋根材Ａを配置する場合には、屋根の傾斜方向で隣り合う折板屋根材Ａを上下で重ね合わせてもよい。このようにして、屋根下地４０の一面に折板屋根材Ａを載置することができる。なお、屋根面４１の側端部４１ａでは、タイトフレームＢの支持山部１２の略半分と谷部１３の一部において折板屋根材Ａが不足することになるが、この部分には、上記の折板屋根材Ａを水平方向に半分にしたものなどを用いて、折板屋根材ＡをタイトフレームＢに取り付けることができる。あるいは、屋根面４１の側端部４１ａには、折板屋根材Ａの水平方向の寸法と合致するように側端部の支持山部１２が長手方向で略半分に形成されたタイトフレームＢを取り付けるようにしてもよい。この場合、略半分となり折板屋根材Ａに覆われない支持山部１２の側面を別の部材（屋根材又は壁材）で覆うようにして施工することができる。
【００６８】
そして、隣接する折板屋根材Ａ、Ａの上ハゼ３４と下ハゼ部３５とをシーマ機などのハゼ締め機でハゼ締めにより結合する。このとき、タイトフレームＢの上部においては吊子６の係着部２０もハゼ部３３と一緒にハゼ締めされる。また、この場合、一方の折板屋根材Ａの上ハゼ部３４を他方の折板屋根材Ａの下ハゼ部３５の上に被せた状態で、上ハゼ部３４の先端及び吊子６の係着部２０を上側に折り曲げるようにする。これにより、上ハゼ部３４と下ハゼ部３５と係着部２０とを折板屋根材Ａの長手方向の全長にわたって締め付けて結合することができる。なお、ハゼ締め機によるハゼ締めの前に、折板屋根材Ａの仮葺き時にプライヤー型の手動工具（通称「手ガチャ」）により仮締めしてもよい。このようにして複数の折板屋根材Ａを接続することによって、図１及び図１５に示すように、屋根面４１の一面に折板屋根材Ａが敷き詰められた屋根を形成することができる。この屋根は、側部２、２の連結により形成される山部３６と、底部１とからなる谷部３７とが交互に連なったものとなる。
【００６９】
ところで、上記では、タイトフレームＢを屋根下地４０に取り付けた後、係止部材１１と吊子６とをタイトフレームＢに取り付ける施工例を示したが、施工方向としてはこれに限られるものではない。例えば、タイトフレームＢの支持山部１２に、係止部材１１と吊子６とを設けたタイトフレームＢをあらかじめ複数準備し、このタイトフレームＢを屋根下地４０に取り付けた後に、折板屋根材ＡをタイトフレームＢに取り付けるようにしてもよい。吊子６をあらかじめ取り付けたタイトフレームＢを用いる場合は、下ハゼ部３５を吊子６の係止部２０の下側に嵌め込むようにする。また、吊子６を取り付けずに係止部材１１を取り付けたタイトフレームＢを準備したり、吊子６のみが取り付けられたタイトフレームＢを準備したりして、これらのタイトフレームＢを組み合わせて屋根下地４０に取り付けるようにしてもよい。また、折板屋根材Ａの固定方法も上記に限られるものではなく、折板屋根材Ａのハゼ締めを隣り合う折板屋根材Ａ、Ａが配置された時点で、順次に行うようにしてもよい。また、吊子６を用いて折板屋根材ＡをタイトフレームＢに固定した例を示したが、係止部４と被係止部３との係止によって取り付け強度が充分な場合は、吊子６を用いずに折板屋根材Ａを取り付けてもよい。
【００７０】
上記のように折板屋根材Ａを取り付けた場合、側部２が係止部４による係止と吊子６による結合とで強固に折板屋根材ＡがタイトフレームＢに保持され、風荷重、特に負荷重に対して優れた屋根耐力を発揮するものである。
【００７１】
ここで、係止部４は、その先端が折板屋根材Ａに対して抜け方向（上方向）ではなく、止め方向（下方向）に向く角度に形成されている。そのため、被係止部３を係止部４の先端で充分に抑えつけることができ、屋根材Ａを強固に係止して固定することができる。また、係止部４が、タイトフレームＢとは別部材である係止部材１１によって形成されている場合には、タイトフレームＢの一部を変形加工して一体として係止部４を突設させた場合よりも固定強度を高めることができるものである。
【００７２】
また、係止部４の先端の表面がアール加工によるアール面Ｒに形成されている場合には、折板屋根材Ａの被係止部３を係止部４の上側から下側にまで移動させる際に、被係止部３をアール面Ｒで滑動させることができ、被係止部３がスムーズに係止部４を乗り越えるようにして折板屋根材Ａの施工性を向上させることができるものである。また、折板屋根材Ａの裏面に断熱材３０を設けた場合であっても、アール面Ｒにより表面が滑らかな曲面となっているので、断熱材４０が破れたり傷付いたりすることを防止することができる。また、凹所１２ｃに補強部１１ｃをほとんど隙間なく嵌め込んだ状態で係止部材１１をタイトフレームＢに取り付けた場合には、凹所１２ｃの壁面により補強部１１ｃを屋根の傾斜方向で係止することができ、折板屋根材Ａの熱伸縮による横滑り現象（折板屋根材Ａが太陽熱等により長手方向で伸縮する現象）によって、係止部材１１が倒れたり抜け落ちたりすることを防止することができるものでる。
【００７３】
ここで、複数のタイトフレームＢのうち、少なくとも屋根面４１の側端部４１ａに配置されるタイトフレームＢの側面に係止部材１１を設けて係止部４を突設させるようにし、屋根面４１の中央部４１ｂのタイトフレームＢには係止部材１１を設けないようにしてもよい。例えば、屋根面４１の両側端部４１ａから所定数の支持山部１２に係止部材１１を取り付けるようにし、屋根面４１の中央部４１ｂに配置された残りの支持山部１２に係止部材１１を取り付けないようにすることができる。この場合、屋根面４１の中央部４１ｂにおいては、折板屋根材Ａ同士及び吊子６とのハゼ締めによって折板屋根材ＡがタイトフレームＢに取り付けられるとともに、屋根面４１の側端部４１ａにおいては、折板屋根材Ａ同士及び吊子６とのハゼ締めと係止部４との係止によって、折板屋根材Ａが強固にタイトフレームＢに取り付けられることになる。これにより、荷重がかかりやすく強度が要求される屋根面４１の側端部４１ａにおいては、吊子６と係止部４とを用いて側部２の上下において折板屋根材Ａを固定することができ、折板屋根材Ａの固定強度を高めることができるものである。一方、屋根面４１の中央部４１ｂにおいては、吊子６との結合の他に、折板屋根材Ａ同士の連結によっても強固に固定されているので、タイトフレームＢへの固定強度は側端部４１ａに比べて高くなくてもよく、係止部材１１によって係止部４を設けることなく、吊子６とのハゼ締めによってタイトフレームＢに折板屋根材Ａを簡単に固定することができるものである。そして、屋根面４１の中央部４１ｂには係止部４を設けなくてもよいので、係止部材１１の数を減らすことができ、コストを低減し、また、施工の手間を省き、簡単に効率よく強度の高い屋根構造を形成することができるものである。
【００７４】
ところで、本発明は屋根の葺き替えにも用いることができる。その一例として、図１６に示すような、既存の折板屋根材４２が吊子６により取り付けられて形成されている屋根の葺き替えを説明する。
【００７５】
まず、図１６（ａ）に示すような屋根から、既存の折板屋根材４２を剥がして除去し、図１６（ｂ）に示すように、既存のタイトフレームＢを露出させる。このタイトフレームＢには既存の吊子６が設けられており、この既存の吊子６を折板屋根材Ａの取り付けに利用してもよいが、吊子６が破損したり劣化したりしている場合は、既存の吊子６を除去して新しい吊子６を取り付けるようにしてもよい。また、このタイトフレームＢは、既存の従来型のものであるので、係止部材１１が取り付けられていない。そこで、図１６（ｃ）に示すように、タイトフレームＢの脚部１２の外側面に係止部材１１を取り付ける。この係止部材１１は屋根面４１の必要な領域に取り付けるようにしてもよい。この後、上記と同様に、折板屋根材ＡをタイトフレームＢに取り付けることによって、図１６（ｄ）に示すように、新規な屋根を形成することができる。このように、本発明によれば、屋根の改修を容易に行うこともできるものである。
【符号の説明】
【００７６】
Ａ      折板屋根材
Ｂ      タイトフレーム
１      底部
２      側部
３      被係止部
４      係止部
５      補強リブ部
６      吊子
３１    突段部
３２    低段部
３３    ハゼ部
４１    屋根面
４１ａ  屋根面の側端部
【図１】
2012017619.tif 000003
【図２】
2012017619.tif 000004
【図３】
2012017619.tif 000005
【図４】
2012017619.tif 000006
【図５】
2012017619.tif 000007
【図６】
2012017619.tif 000008
【図７】
2012017619.tif 000009
【図８】
2012017619.tif 000010
【図９】
2012017619.tif 000011
【図１０】
2012017619.tif 000012
【図１１】
2012017619.tif 000013
【図１２】
2012017619.tif 000014
【図１３】
2012017619.tif 000015
【図１４】
2012017619.tif 000016
【図１５】
2012017619.tif 000017
【図１６】
2012017619.tif 000018
【図１７】
2012017619.tif 000019